(57)【特許請求の範囲】
【請求項１】
左右の前身頃と後身頃とによって上着本体が形成され、それぞれの身頃に設けられた収容空間内に略板状の浮力材を備えて成る釣り用上着であって、
前記前身頃に設けられる前記浮力材は、上着着用者の胸部と対向するようになっている上側部分と、上着着用者の腹部と対向するようになっている下側部分とを有し、
前記上側部分には、上着着用者の腕部に面する側からその反対側の左右前身頃の合わせ部側へと向かう幅方向に沿って浮力材を切り欠くことによって切り欠き部が形成され、被収納物を入れるための前記前身頃のポケットが前記浮力材の前記切り欠き部と対応する位置に設けられ、前記切り欠き部は、上着着用者の釣り動作に前記浮力材が追従できるように且つ前記ポケットを配置できるように寸法付けられることを特徴とする釣り用上着。
【請求項２】
前記切り欠き部は、前記上側部分の最小幅寸法が最大幅寸法の２０％〜７０％となるように切り欠かれることを特徴とする請求項１に記載の釣り用上着。
【請求項３】
前記切り欠き部は、切り欠き最大深さが浮力材の最大幅寸法の４０％〜９０％になるように切り欠かれることを特徴とする請求項１に記載の釣り用上着。
【請求項４】
前記切り欠き部は、切り欠き開口幅が浮力材の高さ寸法の１０％〜６０％になるように切り欠かれることを特徴とする請求項１に記載の釣り用上着。
【請求項５】
前記上側部分には、左右前身頃の合わせ部側からその反対側の上着着用者の腕部に面する側へと向かう幅方向に沿って浮力材を切り欠くことによって更なる切り欠き部が形成されることを特徴とする請求項１または請求項４に記載の釣り用上着。
【請求項６】
前記上側部分と前記下側部分とが分離されていることを特徴とする請求項１ないし請求項５のいずれか１項に記載の釣り用上着。
【請求項７】
前記浮力材には、その表面の略全体にわたって所定の間隔で凹状の溝が設けられていることを特徴とする請求項１ないし請求項６のいずれか１項に記載の釣り用上着。
【発明の詳細な説明】
【技術分野】
【０００１】
本発明は、略板状の浮力材を備える釣り用上着に関する。
【背景技術】
【０００２】
従来から、いわゆるフローティングベストと称される釣り用の上着が知られている。このような釣り用上着は、左右の前身頃と後身頃とによって上着本体（服地）が形成されており、それぞれの身頃に設けられた所定の収容空間内にＰＶＣ、ＰＥ、ＥＶＡなどから成る略板状の浮力材を備えて成る。
【０００３】
ところで、釣り用上着は、浮力材を収容している分だけ一般のベストよりも厚みがあり着用したときの嵩が大きいだけでなく、多くの場合、前記浮力材が、それぞれの身頃の形状に適合する１枚の平板として形成され、身頃の面積のかなりの部分を占めている。そのため、浮力材が、上着着用者の身体の動きに追従できず（身体に沿って変形できず）、着用者の動きを制限するだけでなく、着心地も悪くさせ、ひいては、釣り動作を妨げる場合もある。
【０００４】
そのため、特許文献１では、各身頃に装着される浮力材を多数に分割することにより、浮力材を上着着用者の身体の動きに追従させることができるようにしている。
【先行技術文献】
【特許文献】
【０００５】
【特許文献１】特開２００９−１９２９８号公報
【発明の概要】
【発明が解決しようとする課題】
【０００６】
しかしながら、特許文献１の構造のように、浮力材を分割しすぎると、釣り用上着の着用者が水中に入った際に、分割された浮力材が浮力で上側に寄せられたり或いは規定位置から大きくずれたりし易くなる。そのため、安定して身体を浮かせることができなくなくなる（一定の安定した浮力を保てなくなる）場合がある。
【０００７】
本発明は、前記事情に着目してなされたものであり、その目的とするところは、安定した浮力を保ちつつ、上着着用者の身体の動きにスムーズに追従できる釣り用上着を提供することにある。
【課題を解決するための手段】
【０００８】
前記課題を解決するために、本発明は、左右の前身頃と後身頃とによって上着本体が形成され、それぞれの身頃に設けられた収容空間内に略板状の浮力材を備えて成る釣り用上着であって、前記前身頃に設けられる前記浮力材は、上着着用者の胸部と対向するようになっている上側部分と、上着着用者の腹部と対向するようになっている下側部分とを有し、前記上側部分には、上着着用者の腕部に面する側からその反対側の左右前身頃の合わせ部側へと向かう幅方向に沿って浮力材を切り欠くことによって切り欠き部が形成され、被収納物を入れるための前記前身頃のポケットが前記浮力材の前記切り欠き部と対応する位置に設けられ、前記切り欠き部は、上着着用者の釣り動作に前記浮力材が追従できるように且つ前記ポケットを配置できるように寸法付けられることを特徴とする。
【０００９】
この構成によれば、浮力材に形成される切り欠き部により、浮力材が撓み易くなり、上着着用者の釣り動作に浮力材がスムーズに追従できる。また、浮力材の撓み性の向上を浮力材の分割ではなく切り欠きによって実現するため、浮力材の一体性が損なわれず、安定した浮力を保つことができる。また、被収納物を入れるための前記前身頃のポケットが前記浮力材の前記切り欠き部と対応する位置に設けられるため、ポケットに被収納物を入れても腕の動きが規制されず、釣竿の操作が向上する。
また、上記構成において、前記切り欠き部は、前記上側部分の最小幅寸法が最大幅寸法の２０％〜７０％となるように切り欠かれてもよい。これによれば、浮力材に形成される所定の寸法範囲の切り欠き部により、板面方向および板面に対して垂直な方向の両方向で浮力材が撓み易くなり、したがって、上着着用者の身体の動きに突っ張らずに対応でき、上着着用者の釣り動作に浮力材がスムーズに追従できる。
【００１０】
なお、上記構成において、上側部分は浮力材の高さ寸法の３５％〜７０％との高さ寸法範囲の領域として規定され、下側部分は浮力材の高さ寸法の３０％〜６５％の高さ寸法範囲の領域として規定される。
【００１１】
また、このような浮力材の撓み性の向上は、切り欠き最大深さが浮力材の最大幅寸法の４０％〜９０％になるように切り欠き部を設けることによって、あるいは、切り欠き開口幅が浮力材の高さ寸法の１０％〜６０％になるように切り欠き部を設けることによっても実現できる。この場合、切り欠き最大深さとは、切り欠き開口の両側の端縁同士を結ぶラインの中点から切り欠き部の内周面上の点へと延びる直線のうち最も長い直線の長さとして規定され、また、切り欠き開口幅とは、切り欠き開口の両側の端縁同士を結ぶラインの長さとして規定される。
【００１２】
また、上記構成において、前記上側部分には、左右前身頃の合わせ部側からその反対側の上着着用者の腕部に面する側へと向かう幅方向に沿って浮力材を切り欠くことによって更なる切り欠き部が形成されても良い。この場合、浮力材は、その板面方向および板面に対して垂直な方向で撓み性に優れる。また、上記構成では、切り欠き部に加え、浮力材の表面（特に、上着着用者の身体と対向する面と反対側の面）の略全体にわたって所定の間隔で凹状の溝を設けると、浮力材全体の撓み性が更に向上し、浮力材を着用者の動きに良好に追従させることができ、着心地も良くなる。
【００１３】
また、上記構成では、前記上側部分と前記下側部分とが分離されていても良い。このように、浮力材の上側部分と下側部分とを分断すると、上着着用者の身体のねじれ動作を逃がすことができ、身体動作に対する追従性が更に向上する。
【発明の効果】
【００１４】
本発明によれば、安定した浮力を保ちつつ、上着着用者の身体の動きにスムーズに追従できる釣り用上着を提供することができる。
【図面の簡単な説明】
【００１５】
【図１】本発明の第１の実施形態に係る釣り用上着の正面図。
【図２】（ａ）は図１の釣り用上着に装着される右側前身頃用浮力材の正面図、（ｂ）は右側前身頃用浮力材の左側面図、（ｃ）は右側前身頃用浮力材の右側面図、（ｄ）は右側前身頃用浮力材の下面図。
【図３】図１の釣り用上着に装着される右側前身頃用浮力材の斜視図。
【図４】第１の実施形態に係る釣り用上着の左側前身頃用浮力材の概略斜視図。
【図５】図４の左側前身頃用浮力材の正面図。
【図６】本発明の第２の実施形態に係る釣り用上着の左側前身頃用浮力材の概略側面図。
【図７】本発明の第３の実施形態に係る釣り用上着の右側前身頃用浮力材の斜視図。
【発明を実施するための形態】
【００１６】
以下、本発明に係る釣り用上着の実施形態について、添付図面を参照して具体的に説明する。
【００１７】
図１は、いわゆるフローティングベストと称される本発明の第１の実施形態に係る釣り用上着１を示している。この釣り用上着１は、袖なしの上着であるが、袖のある上着であっても良い。また、この釣り用上着１は、例えば磯釣り、波止釣り、または、船釣り等で使用される。
【００１８】
図１に示されるように、釣り用上着１は、左右の前身頃２，３と後身頃４とによって上着本体（服地）が形成されており、それぞれの身頃２，３，４に設けられた図示しない所定の収用空間（浮力材収容部）（図示せず）内にＰＶＣ、ＰＥ、ＥＶＡなどから成る略板状の浮力材１０Ａ，１０Ｂ，１０Ｃ（右側前身頃用浮力材１０Ａ、左側前身頃用浮力材１０Ｂ、後身頃用浮力材１０Ｃ）を備えて成る。この場合、右側の前身頃２と左側の前身頃３は、合わせ部２０でその端部同士を合わせてチャック２５により閉めることができる。浮力材１０Ａ，１０Ｂ，１０Ｃは、身頃２，３，４の形状と略合致した形状に形成されており、また、各身頃２，３，４の前記浮力材収容部は身頃２，３，４の略全体にわたって設けられている。
【００１９】
なお、前記浮力材収容部にスライドファスナー等により開閉可能な開口部を形成し、浮力材収容部に浮力材１０Ａ，１０Ｂ，１０Ｃを着脱自在に収容できるようにしても良い。また、右側前身頃用浮力材１０Ａおよび左側前身頃用浮力材１０Ｂは、左右対称に配置されている以外は、ほぼ同じ形態であるが、左右で異なる形状であってもよい。
【００２０】
また、図１に示されるように、左右の前身頃２，３の外面２ａ，３ａには、上着着用者の腹部にほぼ対応する位置に、収納ポケット１１，１２（外ポケット）が設けられている。これらのポケット１１，１２は、釣り用上着１の幅方向Ｗおよび高さ（丈）方向Ｔにわたって所定の寸法を有しており、浮力材１０Ａ，１０Ｂとその厚さ方向で重なり合うように設けられている。いずれのポケット１１，１２も、正面視略四角形状に形成されており、その上縁から中央側（合わせ部２０側）の側縁にかけて略Ｌ字状の開口部１１ａ，１２ａを有している。なお、開口部１１ａ，１２ａはスライドファスナー１３，１４が設けられて開閉自在とされている。
【００２１】
また、各ポケット１１，１２は好ましくは前身頃２，３の外面２ａ，３ａから前方に突出しないように形成されており、ポケット１１，１２の外壁１１ｂ，１２ｂは前身頃２，３の胸部に対応する外面２ａ，３ａ部位と略面一に形成されている。そして、前身頃２，３の腹部に対応する外面２ａ，３ａ部位とポケット１１，１２の外壁１１ｂ，１２ｂとの間に、ポケット１１，１２の収納空間が形成される。
【００２２】
図２には右側前身頃用浮力材１０Ａが示されている。図示のように、本実施形態の右側前身頃用浮力材１０Ａは、上着着用者の胸部と対向するようになっている上側部分５０と、上着着用者の腹部と対向するようになっている下側部分５２とを有する。この場合、上側部分５０は浮力材１０Ａの高さ寸法Ｔmaxの３５％〜７０％との高さ寸法範囲の領域として規定され、下側部分５２は浮力材１０Ａの高さ寸法Ｔmaxの３０％〜６５％の高さ寸法範囲の領域として規定され（後述する第２および第３の実施形態においても同様）、特に本実施形態では、上側部分５０と下側部分５２とが一体に形成されている。
【００２３】
また、上側部分５０は、上着着用者の身体と対向するようになっている第１の表面３０と、反対側の第２の表面３２とを有している。また、上側部分５０には、上着着用者の腕部に面する側Ａからその反対側の左右前身頃の合わせ部２０の側Ｂへと向かう幅方向Ｗに沿って浮力材１０Ａをその厚さ全体にわたって切り欠くことによって切り欠き部７０が形成されている。この場合、切り欠き部７０は、上側部分５０の最小幅寸法Ｗminが最大幅寸法Ｗmax’の２０％〜７０％となるように切り欠かれている。
【００２４】
また、本実施形態において、切り欠き部７０は、切り欠き最大深さＤmaxが浮力材１０Ａの最大幅寸法Ｗmaxの４０％〜９０％になるように切り欠かれているとともに、切り欠き開口幅Ｈが浮力材１０Ａの高さ寸法Ｔmaxの１０％〜６０％になるように切り欠かれている。ここで、切り欠き最大深さＤmaxとは、切り欠き開口７０ａの両側の端縁７２，７３同士を結ぶラインＬ１の中点Ｍから切り欠き部７０の内周面７０ｂ上の点Ｐへと延びる直線Ｌ２のうち最も長い直線の長さとして規定され（後述する第２および第３の実施形態においても同様）、また、切り欠き開口幅Ｈとは、切り欠き開口７０ａの両側の端縁７２，７３同士を結ぶラインＬ１の長さとして規定される（後述する第２および第３の実施形態においても同様）。
【００２５】
また、本実施形態において、浮力材１０Ａ（上側部分５０および下側部分５２の両方）には、その第２の表面３２の略全体にわたって所定の間隔で凹状の溝８０が設けられている。また、このような溝８０に加え、下側部分５２には、軽量化および通気性の向上を図るために略円形の穴８２が複数設けられている。
【００２６】
なお、左側前身頃用浮力材１０Ｂも、右側前身頃用浮力材１０Ａと線対称に形成されている点を除き、右側前身頃用浮力材１０Ａと全く同様に形成されている。
【００２７】
以上説明したように、本実施形態によれば、浮力材１０Ａ，１０Ｂに形成される所定の寸法範囲の切り欠き部７０により、板面方向および板面に対して垂直な方向の両方向で浮力材１０Ａ，１０Ｂが撓み易くなり、したがって、上着着用者の身体の動きに突っ張らずに対応でき、上着着用者の釣り動作に浮力材１０Ａ，１０Ｂがスムーズに追従できる。また、浮力材１０Ａ，１０Ｂの撓み性の向上を浮力材１０Ａ，１０Ｂの分割ではなく所定の寸法範囲の切り欠き７０によって実現するため、浮力材１０Ａ，１０Ｂの一体性が損なわれず、安定した浮力を保つことができる。図４および図５は、本実施形態に係る釣り用上着の左側前身頃用浮力材１０Ｂ（右側前身頃用浮力材１０Ａも同様）を示しているが（図では、簡単のため、溝８０および穴８２が省略されている）、これらの図からも分かるように、本実施形態のように所定の寸法範囲の切り欠き部７０が設けられていると、図中に矢印で示されるように板面方向および板面に対して垂直な方向の両方向で浮力材１０Ｂ（浮力材１０Ａも同様）が撓み易くなり、また、上側部分５０と下側部分５２とが一体となっていると（浮力材１０Ｂが身頃の形状に適合する１枚の平板として形成されていると）、浮力材１０Ｂの一体性が保たれ、安定して身体を浮かせることができる（一定の安定した浮力を保てる）。
【００２８】
また、本実施形態では、切り欠き部７０に加え、浮力材１０Ａ，１０Ｂの第２の表面３２の略全体にわたって所定の間隔で凹状の溝８０が設けられているため、浮力材１０Ａ，１０Ｂ全体の撓み性が更に向上し、浮力材１０Ａ，１０Ｂを着用者の動きに良好に追従させることができ、着心地も良くなる。
【００２９】
図６は本発明の第２の実施形態に係る釣り用上着の前身頃用浮力材１０Ａ,１０Ｂを示している。図示のように、本実施形態では、上着着用者の腕部に面する側Ａからその反対側の左右前身頃の合わせ部２０の側Ｂへと向かう幅方向Ｗに沿って浮力材１０Ａをその厚さ全体にわたって切り欠くことによって第１の切り欠き部７０Ａが形成されるとともに、左右前身頃の合わせ部２０の側Ｂから上着着用者の腕部に面する側Ａへと向かう幅方向Ｗに沿って浮力材１０Ａをその厚さ全体にわたって切り欠くことによって第２の切り欠き部７０Ｂが形成されている。すなわち、第１の実施形態では浮力材の幅方向の一方側だけに切り欠き部が設けられているが、本実施形態では、浮力材の幅方向の両側に切り欠き部が設けられている。なお、切り欠き部７０Ａ，７０Ｂの切り欠き形態は第１の実施形態と同様である。この場合、上側部分５０の最小幅寸法Ｗminが最大幅寸法Ｗmax’の２０％〜７０％となるように第１および第２の切り欠き部７０Ａ，７０Ｂが全体として切り欠かれる。また、これに加えて或いはこれに代えて、各切り欠き部７０Ａ，７０Ｂは、その切り欠き開口幅が浮力材１０Ａの高さ寸法Ｔmaxの１０％〜６０％になるように切り欠かれる。したがって、本実施形態によっても、第１の実施形態と同様の作用効果が得られる（特に、浮力材は、その板面方向および板面に対して垂直な方向（図中に矢印で示される方向）で撓み性に優れる）。
【００３０】
図７は本発明の第３の実施形態を示している。本実施形態では、図示のように、浮力材１０Ａの上側部分５０と下側部分５２とが分離されている（浮力材１０Ｂも同様）。このように、浮力材１０Ａ，１０Ｂの上側部分５０と下側部分５２とが分断されていると、上着着用者の身体のねじれ動作を逃がすことができ、身体動作に対する追従性が更に向上する。
【００３１】
なお、本発明は、前述した実施形態に限定されず、その要旨を逸脱しない範囲で種々変形して実施できることは言うまでもない。例えば、前述した実施形態では、ポケット１１，１２が下側部分５２だけに設けられているが、ポケットは上側部分５０に設けられていてもよい。この場合、浮力材の切り欠き部７０と対応する位置にポケットが設けられれば、ポケットに被収納物を入れても腕の動きが規制されず、釣竿の操作が向上する。
【符号の説明】
【００３２】
１  釣り用上着
前身頃
１０Ａ，１０Ｂ，１０Ｃ  浮力材
２０  合わせ部
３０  第１の表面
３２  第２の表面
５０  上側部分
５２  下側部分
７０  切り欠き部
８０  凹溝
【図１】
0005590645.tif 000002
【図２】
0005590645.tif 000003
【図３】
0005590645.tif 000004
【図４】
0005590645.tif 000005
【図５】
0005590645.tif 000006
【図６】
0005590645.tif 000007
【図７】
0005590645.tif 000008